(57)【特許請求の範囲】
【請求項１】
作業車両のキャブの騒音低減構造において、
キャブ(10a) の床(11a) の下方、キャブ(10a)の後壁の後方及びキャブ(10a) の側壁の側方のうち少なくともいずれかに、キャブ(10a) の窓を除く部材の略全面に隣接し、キャブ(10a) の外側で、かつフレーム(12a)又はフレーム(12a) 上にある既存部材(8,13a) とキャブ(10a) の部材とで形成された遮音室(A,B,C) を設けた
ことを特徴とする作業車両のキャブの騒音低減構造。
【請求項２】
請求項１記載の作業車両のキャブの騒音低減構造において、
前記遮音室(A,B,C) は、キャブ(10a) との接続部の全周に遮音材(16,17,34a)を取着している
ことを特徴とする作業車両のキャブの騒音低減構造。
【請求項３】
請求項１記載の作業車両のキャブの騒音低減構造において、
油圧ホース(32,42) 、ワイヤハーネス(52)及びコントロールケーブルのうち少なくとも一つを、キャブ(10b)に設けた貫通孔(35,45) 及び前記遮音室(A,B,C) を経由してキャブの内部から外部に配設した
ことを特徴とする作業車両のキャブの騒音低減構造。
【発明の詳細な説明】
【０００１】
【発明の属する技術分野】
本発明は、油圧ショベル等の作業車両のキャブの騒音低減構造に関する。
【０００２】
【従来の技術】
図９に示す作業車両である油圧ショベル１は、下部走行体２と、下部走行体２上に旋回自在に搭載されている上部旋回体４とを有する。上部旋回体４は下部にフレーム１２を有し、フレーム１２上の前部略中央部には作業機６が、前部左右いずれか一側にはキャブ１０が、及び後部にはカバーにより覆われた図示しないエンジンや油圧ポンプ等の動力装置を内蔵したエンジンルーム８が設けられている。
【０００３】
図１０においてキャブ１０ｃは、図示しない防振部材を介してフレーム１２ｃの上面に、フレーム１２ｃの上面及びエンジンルーム８の前面からそれぞれ所定距離を隔てて装着されている。フレーム１２ｃはキャブ１０ｃの下方側面をほぼ全周にわたって覆うように枠状に形成されている。フレーム１２ｃの下面には、キャブ１０ｃの下面を土石や泥水から保護するためのカバー１４が装着されている。また、キャブ１０ｃの床１１ｃ上には、作業機６を操作するための作業機レバー３０を装着したレバースタンド２６と、制御装置５０を装着したコンソール２８と、走行操作をするための走行レバー４０とが装着されている。
【０００４】
作業機レバー３０及び走行レバー４０の下部には、図示しないパイロットポンプからのパイロット油圧をレバー操作量に応じた指令パイロット油圧に変換するパイロット弁３１，４１がそれぞれ設けられており、パイロット弁３１，４１には、図示しないパイロットポンプや操作弁やタンクなどの油圧機器に接続される複数の油圧ホース３２，４２が接続されている。また、制御装置５０には、図示しない制御機器や検出器などとの信号のやり取りのためのワイヤハーネス５２が接続されている。
【０００５】
走行レバー４０は床１１ｃの上面に装着されているので、走行レバー４０のパイロット弁４１は床１１ｃの貫通孔４５から床１１ｃの下方に突出するように装着され、それに接続される油圧ホース４２は、そのまま床１１ｃの下側を伝ってキャブ１０ｃの後方の油圧機器に接続される。
作業機レバー３０はレバースタンド２６に装着されており、作業機レバー３０のパイロット弁３１は床１１ｃの上方に位置するため、それに接続される油圧ホース３２は、床１１ｃの上部から床１１ｃの貫通孔３５に取着されたグロメット３７を経て床１１ｃの下側を伝ってキャブ１０ｃの後方の油圧機器に接続される。グロメット３７は図１１（ａ）及び図１１（ｂ）に示すように、中央部に薄肉の中央部３７ａを、周辺部に厚肉の周辺部３７ｂを有する略小判形で、ゴムを成形して作られる。中央部３７ａには、油圧ホース３２の外径と略同一の径の孔３７ｃが所定間隔をおいて複数設けられており、かつ近接する２つの孔同士を結ぶ切れ目３７ｄが油圧ホース３２の口金を通すために設けられている。周辺部３７ｂの外周面には、床１１ｃの厚さと略同一の幅で所定深さの溝３７ｅが設けられている。
更に作業機レバー３０は、オペレータの体格や好みに合わせて、また深穴掘りで前傾姿勢での作業が必要といった作業状況に合わせて、車両の前後方向にスライドできる構造となっている。
制御装置５０からのワイヤハーネス５２は、床１１ｃの上部から床１１ｃの図示していない貫通孔を経て床１１ｃの下側を伝ってキャブ１０ｃの外部の制御機器や検出器などに接続される。
【０００６】
【発明が解決しようとする課題】
作業のためオペレータがエンジンを始動し作業機レバー３０または走行レバー４０を操作して油圧ショベル１を稼動させると、エンジンや油圧ポンプ等の動力装置から騒音が発生する。発生した騒音は、キャブ１０ｃ内に伝播するが、特に騒音源に近いキャブ１０ｃの後面側を中心にキャブ１０ｃ内に伝播してくる。従来からキャブ１０ｃは騒音を低減するために、例えば、グロメットで隙間を小さくしたり、遮音材等を設けるなどして遮音性を高める構造を採っているが、近年、キャブ内の居住性及び耐騒音性を高めるようにする要求が強くなっている。したがって、更なるキャブ１０ｃ内での騒音低減が求められている。
【０００７】
また、作業機レバー３０のスライド移動により油圧ホース３２もパイロット弁３１と共に移動し、スライド量の大きさや油圧ホース３２の固さや太さのため図１１（ｃ）に示すように、グロメット３７部でのホース３２は斜めになり、切れ目３７ｄの存在も要因となって捲れによる隙間が生じる。更に、スライド移動による遊びを吸収するためグロメット３７付近では油圧ホース３２を固定していないことも起因し、スライド移動を元に戻しても捲れによる隙間を生じたままになることもある。このため、貫通孔３５ではグロメット３７の遮音効果が非常に低減する。
また、走行レバー４０を装着する貫通孔４５部においては、設計上しっかりした遮音構造にできない場合がある。
キャブ１０ｃはフレーム１２ｃから離間して装着されているので、キャブ１０ｃとフレーム１２ｃとの隙間から侵入する騒音により床１１ｃの下方の騒音レベルは高い。このため、遮音の不完全な貫通孔３５，４５を通して床１１ｃの下方の騒音がキャブ１０ｃの内部に侵入し、キャブ１０ｃの内部の騒音低減の大きな障害となっている。
【０００８】
本発明は、上記の問題点に着目してなされたものであり、油圧ショベル等の作業車両において、高い騒音低減効果が確実に得られる作業車両のキャブの騒音低減構造を提供することを目的としている。
また、油圧ショベル等の作業車両において、油圧ホースやワイヤハーネスなどの配設のためにキャブの床や壁面に設けられた貫通孔からの騒音の侵入を防止し、騒音低減効果の高いキャブの騒音低減構造を提供することを目的としている。
【０００９】
【課題を解決するための手段、作用及び効果】
上記の目的を達成するために、第１の発明は、作業車両のキャブの騒音低減構造において、キャブの床の下方、キャブの後壁の後方及びキャブの側壁の側方のうち少なくともいずれかに、キャブの窓を除く部材の略全面に隣接し、キャブの外側で、かつフレーム又はフレーム上にある既存部材とキャブの部材とで形成された遮音室を備えたことを特徴としている。
第１の発明によると、油圧ショベル等の作業車両のキャブ内に伝播する騒音経路の内、騒音源に近く大きな要因の経路であったキャブの床、キャブの後壁及びキャブの側壁からのキャブ内への騒音の伝播を、それぞれ遮音室を通過させることにより減少させることができ、オペレータの作業環境が改善され、作業効率を向上することができる。また、遮音室はそれぞれ、床とフレーム、キャブ後壁とエンジンルーム、及びキャブ側壁とブーム支持部材といったように、キャブの部材とフレーム又はフレーム上にある既存部材とを利用した簡単な構成で実現できる。
【００１０】
第２の発明は、第１発明において、前記遮音室は、キャブとの接続部の全周に遮音材を取着していることを特徴としている。
第２の発明によると、遮音室を、キャブの床、キャブの後壁及びキャブの側壁との接続部の全周に遮音材を取り付けてシールするので、遮音効果を高めることができると共に、遮音室は、従来から用いていた床やフレーム、後壁やエンジンルームカバー、及び側壁やブーム支持部材といった部材を必要に応じて一部変更し、遮音材を追加するといった簡単な構成となっている。これにより、簡単な構成にてキャブ内の騒音低減が可能となり、オペレータの作業環境が改善され、作業効率を向上することができる。
【００１１】
第３の発明は、第１発明において、油圧ホース、ワイヤハーネス及びコントロールケーブルのうち少なくとも一つを、キャブに設けた貫通孔及び前記遮音室を経由してキャブの内部から外部に配設したことを特徴としている。
【００１２】
第３の発明によると、油圧ショベル等の作業車両において、油圧ホースやワイヤハーネスなどを、キャブに設けた貫通孔及び前記遮音室を経由してキャブの内部から外部に配設する。この時、貫通孔部でのグロメットによる遮音が困難な場合や、走行レバー等の機器を床に直接装着するときの貫通孔部での遮音が困難な場合でも、遮音室から外部へ出るところは遮音構造により遮音されている。このため、外部からの騒音は低減して遮音室に侵入するので、貫通孔を通して遮音室からキャブの内部に侵入する騒音は低く押さえられる。これにより、キャブ内の騒音低減が可能となり、オペレータの作業環境が改善され、作業効率を向上することができる。
【００１３】
また、第３の発明において、貫通孔をキャブの床に設け、遮音室を、キャブの床と、上面にキャブを装着するフレームと、キャブとフレームとの間隙を埋める遮音材とを有する構成とすると、遮音室は、従来から用いていた床やフレームといった部材を必要に応じて一部変更し、遮音材を追加するといった簡単な構成となっている。これにより、簡単な構成にてキャブ内の騒音低減が可能となり、オペレータの作業環境が改善され、作業効率を向上することができる。
【００１４】
【発明の実施の形態】
以下、図面を参照して本発明の実施の形態について詳細に説明する。
ここでは、本発明に係る作業車両のキャブの騒音低減構造を適用する作業車両として、図９に示した油圧ショベル１の例で説明するが、本発明はこれには限定されない。
【００１５】
本発明の第１実施形態を、図１、及び図２及び図３を参照しながら詳細に説明する。
図１において、キャブ１０ａはキャブ１０ａの床１１ａの四隅で図２に示す防振部材１８を介してフレーム１２ａの上面に、フレーム１２ａの上面及びエンジンルーム８の前面からそれぞれ所定距離を隔てて装着されている。フレーム１２ａはキャブ１０ａの下方側面を全周にわたって覆うように枠状に形成されている。フレーム１２ａの下面には、キャブ１０ａの下面を土石や泥水から保護するためのカバー１４が装着されている。
フレーム１２ａの上面には図２にも示すように、床１１ａの下面の外周の全周にわたって、所定幅を有しかつ床１１ａとフレーム１２ａの間隔よりもやや大きい厚さの例えばウレタンフォームよりなる遮音材１６が取着されている。
また、エンジンルーム８の前面には図２にも示すように、キャブ１０ａの後壁の外周の全周にわたって、所定幅を有しかつキャブ１０ａの後壁とエンジンルーム８の間隔よりもやや大きい厚さの例えばウレタンフォームよりなる遮音材１７が取着されている。
【００１６】
また、図２及び図１のＤ・Ｄ断面図である図３にも示すように、キャブ１０ａの車体中心側の側壁の側方には、ブーム支持部材１３ａがフレーム１２ａと一体構造であるフレーム２１ａの上面に立設している。ブーム支持部材１３ａの車両後ろ方向には、ブーム支持部材１３ａの最上端部と略同じ高さを有し、キャブ１０ａ側の側面とブーム支持部材１３ａのキャブ１０ａ側の側面とが同一面をなして、キャブ１０ａの後端面に対応するまでのキャブ１０ａの側壁をブーム支持部材１３ａと一体になって覆うプレート４３ａが溶接等により取着されている。
ブーム支持部材１３ａとプレート４３ａのキャブ１０ａ側の面上には、キャブ１０ａの側壁と対応する部分の外周のやや内側の全周にわたって、キャブ１０ａの側壁とブーム支持部材１３ａとの間隔よりやや短い高さを有するプレート３３ａが立設している。
更に、プレート３３ａのキャブ１０ａ側の端部には全周にわたって、所定幅を有しかつキャブ１０ａの側壁とプレート３３ａとの間隔よりもやや大きい厚さの例えばウレタンフォームよりなる遮音材３４ａが取着されている。
【００１７】
これらの構成によりキャブ１０ａの下方には、床１１ａ、遮音材１６、フレーム１２ａ、及びカバー１４に囲まれた遮音室Ａが形成される。遮音室Ａに侵入しようとする騒音は遮音室Ａを形成する部材の遮音作用により低減される。
また、キャブ１０ａの後壁の後方には、キャブ１０ａの後壁、遮音材１７、及びエンジンルーム８に囲まれた遮音室Ｂが形成される。遮音室Ｂに侵入しようとする騒音は遮音室Ｂを形成する部材の遮音作用により低減される。
また、キャブ１０ａの側壁の側方には、キャブ１０ａの側壁、ブーム支持部材１３ａ、プレート４３ａ、遮音材３４ａ、及びプレート３３ａに囲まれた遮音室Ｃが形成される。遮音室Ｃに侵入しようとする騒音は遮音室Ｃを形成する部材の遮音作用により低減される。
【００１８】
これにより、キャブ１０ａ内に伝播する騒音の経路の内、騒音源に近くかつ大きな要因の経路であったキャブ１０ａの後壁、キャブ１０ａの床１１ａ及びキャブ１０ａの側壁からのキャブ１０ａ内への騒音の伝播を、それぞれ遮音室Ａ，Ｂ，Ｃを通過させることにより減少させることができ、オペレータの作業環境が改善され、作業効率を向上することができる。
また、遮音室Ａ，Ｂ，Ｃはそれぞれ、床とフレーム、キャブ後壁とエンジンルーム、及びキャブ側壁とブーム支持部材といった既存部材を利用した簡単な構成で実現できる。
【００１９】
次に、遮音室Ｃに関して第１実施形態の別形態について、図４及び図４のＺ視を示す図５を参照しながら説明する。
キャブ１０ｄの車体中心側の側壁の側方には、ブーム支持部材１３ｄがフレーム１２ｄと一体構造であるフレーム２１ｄの上面に立設している。ブーム支持部材１３ｄの車両後ろ方向には、ブーム支持部材１３ｄの最上端部と略同じ高さを有し、キャブ１０ｄ側の側面とブーム支持部材１３ｄのキャブ１０ｄ側の側面とが同一面をなして、キャブ１０ｄの後端面に対応するまでのキャブ１０ｄの側壁をブーム支持部材１３ｄと一体になって覆うプレート４３ｄが溶接等により取着されている。
フレーム１２ｄは、フレーム２１ｄの上面で、かつブーム支持部材１３ａの側面からキャブ１０ｄ方向に伸びる梁２２，２３を有する。梁２２，２３の長手方向に対する断面はコ字状で開口部が下方に向かっており、梁２２はキャブ１０ｄの後部に位置し、梁２３はキャブ１０ｄの略中央に位置する。
ブーム支持部材１３ｄとプレート４３ｄのキャブ１０ｄ側の面上には、キャブ１０ｄの側壁と対応する部分の外周の上端及び左右端のやや内側にそって、キャブ１０ｄの側壁とブーム支持部材１３ｄとの間隔よりやや短い高さを有するプレート３３ｄが立設している。プレート３３ｄの長手方向の端部は、一端が梁２２に、他端が梁２３にそれぞれ接している。
更に、プレート３３ｄのキャブ１０ｄ側の端部には全長にわたって、所定幅を有しかつキャブ１０ｄの側壁とプレート３３ｄとの間隔よりもやや大きい厚さの例えばウレタンフォームよりなる遮音材３４ｄが取着されている。
また、プレート２１ｄ上面には、プレート２１ｄとキャブ１０ｄとの間隔と略等しい高さを有し、幅が梁２２と梁２３との間隔と略等しい幅を有するプレート４４が、キャブ１０ｄの車体中心側の側壁の下部位置に取着されている。
【００２０】
これらの構成により、キャブ１０ｄの側壁の側方には、キャブ１０ｄの側壁、ブーム支持部材１３ｄ、プレート４３ｄ、遮音材３４ｄ、プレート３３ｄ、プレート２１ｄ、梁２２，２３及びプレート４４に囲まれた遮音室Ｃ１が形成される。遮音室Ｃ１に侵入しようとする騒音は遮音室Ｃ１を形成する部材の遮音作用により低減される。
なお、プレート４４の代わりにウレタンフォーム等の遮音材を用いても作用効果は同様である。また、プレート４４を除いて、遮音室Ｃ１がキャブ１０ｄの下方の遮音室Ａと連通するような構成を採っても同様の作用効果が得られる。
【００２１】
次に、本発明にかかる第２実施形態を、図６及び図７を参照しながら詳細に説明する。
図６において、キャブ１０ｂはキャブ１０ｂの床１１ｂの四隅で図７に示す防振部材１８を介してフレーム１２ｂの上面から所定距離を隔てて装着されている。フレーム１２ｂはキャブ１０ｂの下方側面を全周にわたって覆うように枠状に形成されている。フレーム１２ｂの下面には、キャブ１０ｂの下面を土石や泥水から保護するためのカバー１４が装着されている。また、キャブ１０ｂの床１１ｂ上には、作業機６を操作するための作業機レバー３０を装着したレバースタンド２６と、制御装置５０を装着したコンソール２８と、走行操作をするための走行レバー４０とが装着されている。
【００２２】
作業機レバー３０及び走行レバー４０の下部には、図示しないパイロットポンプからのパイロット油圧をレバー操作量に応じた指令パイロット油圧に変換するパイロット弁３１，４１がそれぞれ設けられており、パイロット弁３１，４１には、図示しないパイロットポンプや操作弁やタンクなどの油圧機器に接続される複数の油圧ホース３２，４２が接続されている。また、制御装置５０には、図示しない制御機器や検出器などとの信号のやり取りのためのワイヤハーネス５２が接続されている。
【００２３】
走行レバー４０は床１１ｂの上面に装着されているので、走行レバー４０のパイロット弁４１は床１１ｂの貫通孔４５から床１１ｂの下方に突出するように装着され、それに接続される油圧ホース４２は、そのまま床１１ｂの下側を伝ってキャブ１０ｂの後方の油圧機器に接続される。走行レバー４０を装着する貫通孔４５部においては、設計上しっかりした遮音構造にできない場合がある。
作業機レバー３０はレバースタンド２６に装着されており、作業機レバー３０のパイロット弁３１は床１１ｂの上方に位置するため、それに接続される油圧ホース３２は、床１１ｂの上部から床１１ｂの貫通孔３５に取着されたグロメット３７を経て床１１ｂの下側を伝ってキャブ１０ｂの後方の油圧機器に接続される。グロメット３７は図１１（ａ）及び図１１（ｂ）に示すように、中央部に薄肉の中央部３７ａを、周辺部に厚肉の周辺部３７ｂを有する略小判形で、ゴムを成形して作られる。中央部３７ａには、油圧ホース３２の外径と略同一の径の孔３７ｃが所定間隔をおいて複数設けられており、かつ近接する２つの孔同士を結ぶ切れ目３７ｄが油圧ホース３２の口金を通すために設けられている。周辺部３７ｂの外周面には、床１１ｃの厚さと略同一の幅で所定深さの溝３７ｅが設けられている。
更に作業機レバー３０は、オペレータの体格や好みに合わせて、また深穴掘りで前傾姿勢での作業が必要といった作業状況に合わせて、車両の前後方向にスライドできる構造となっている。このスライド移動により油圧ホース３２もパイロット弁３１と共に移動し、スライド量の大きさや油圧ホース３２の固さや太さのため図１１（ｃ）に示すように、グロメット３７部でのホース３２は斜めになり、捲れによる隙間が生じる。
制御装置５０からのワイヤハーネス５２は、床１１ｂの上部から床１１ｂの図示していない貫通孔を経て床１１ｂの下側を伝ってキャブ１０ｂの外部の制御機器や検出器などに接続されている。
また、走行レバー４０または作業機レバー３０からコントロールケーブルなどでキャブ１０ｂの後方の油圧機器に接続される場合もあるが、グロメット３７部で隙間が生じるのは同様である。
【００２４】
フレーム１２ｂの上面には図７にも示すように、床１１ｂの下面の外周の全周にわたって、所定幅を有しかつ床１１ｂとフレーム１２ｂの間隔よりもやや大きい厚さの例えばウレタンフォームよりなる遮音材１６が取着されている。
床１１ｂの下側を伝ってキャブ１０ｂの後方に向かう油圧ホース３２，４２、ワイヤハーネス５２及びコントロールケーブルは、図７に示すようにキャブ１０ｂの後端部付近でフレーム１２ｂの上面の位置にて横一列に整列してクランプ２４にて固定されている。
【００２５】
これらの構成によりキャブ１０ｂの下方には、床１１ｂ、遮音材１６、フレーム１２ｂ、及びカバー１４に囲まれた遮音室Ａが形成される。遮音室Ａに侵入しようとする騒音は遮音室Ａを形成する部材の遮音作用により低減される。油圧ホース３２，４２、ワイヤハーネス５２及びコントロールケーブルの遮音材１６部での形態は、クランプ２４にて固定して横一列に整列し、遮音材１６で押さえているので、この部位での外部から遮音室Ａへの騒音の侵入は低減される。このため、遮音室Ａは外部からの騒音侵入の少ない空間となる。したがって、作業機レバー３０のスライド移動に伴うグロメット３７部での捲れによる隙間により貫通孔３５部でのグロメット３７の遮音が困難な場合や、走行レバー４０を装着する貫通孔４５部での遮音が困難な場合でも、貫通孔３５，４５を通してキャブ１０ｂの内部に侵入する騒音は低く押さえられる。
【００２６】
これにより、油圧ホースやワイヤハーネスなどの配設に用いられるキャブの床や壁面に設けられた貫通孔において、困難であった遮音構造が、床とフレームとによって囲まれた空間を遮音室とするといった簡単な構成で実現できる。
また、この遮音室を設けたことにより、キャブ内の騒音が更に低減されるので、オペレータの作業環境が改善され、作業効率を向上することができる。
【００２７】
なお、フレーム１２ａ，１２ｂの枠形状は矩形に限定されず、例えば円形、楕円形を含んでいても良い。
また、遮音室を形成するフレーム１２ａ，１２ｂ、カバー１４及び遮音材１６，１７の一部が外部の騒音が低い位置で切り欠き、開口等の開放部を有していても良い。
また、遮音材１６，１７として、ウレタンフォームを例に挙げたが、同様の機能を有するものであればグラスウール、フェルト等でも良い。
また、遮音材１６，１７として、遮音しようとする隙間よりやや大きい外径を有するゴム管を環状に設けて用いても良い。この場合、例えば図８（ａ）に示すように、配設する環状のゴム管１７ａを平面部を有する断面としてエンジンルーム８の壁面上に接着剤で配設すれば良い。また、例えば図８（ｂ）に示すように、ゴム管１７ｂは長手方向の厚肉部１７ｃと厚肉部１７ｃの中心の長手方向のスリット１７ｄとを有し、端面が遮音しようとする隙間の略中央でかつ配設する環状のゴム管１７ｂの内周面の位置において内側からゴム管１７ｂを支持する支持部材５５ａ，５５ｂをエンジンルーム８の壁面上に設けて、ゴム管１７ｂのスリット１７ｄに支持部材５５ａ，５５ｂの端面を差し込んでゴム管１７ｂを配設すれば良い。
【００２８】
第２実施形態では、キャブ下方のフレーム部の遮音室Ａを経由して油圧ホースやワイヤハーネスなどをキャブ外に引き出したが、第１実施形態で示したキャブ後方の遮音室Ｂを経由して油圧ホースやワイヤハーネスなどをキャブ外に引き出しても良いのはもちろんである。
また、実施の形態では油圧ショベルにて説明したが、適用する作業車両は油圧ショベルに限定されない。
【図面の簡単な説明】
【図１】本発明の第１実施形態のキャブ及びフレーム及びエンジンルームを示す側面断面図である。
【図２】本発明の第１実施形態のフレーム及びエンジンルームのキャブを装着する部分の斜視図である。
【図３】図１のＤ・Ｄ断面図である。
【図４】本発明の遮音室について別の実施形態を示す斜視図である。
【図５】図４のＺ視図である。
【図６】本発明の第２実施形態のキャブ及びフレームを示す側面断面図である。
【図７】本発明の第２実施形態のフレームのキャブを装着する部分の斜視図である。
【図８】本発明の遮音材について別の実施形態を示す斜視図である。
【図９】作業車両である油圧ショベルの側面図である。
【図１０】従来のキャブ及びフレームを示す側面断面図である。
【図１１】グロメットとホースの様子を説明する図である。
【符号の説明】
Ａ，Ｂ，Ｃ；遮音室、８；エンジンルーム、１０ａ，１０ｂ，１０ｃ；キャブ、１１ａ,１１ｂ,１１ｃ;床、１２ａ，１２ｂ，１２ｃ;フレーム、１３ａ；ブーム支持部材、１４；カバー、１６，１７，３４ａ；遮音材、１８；防振部材、２４；クランプ、３０；作業機レバー、３１,４１；パイロット弁、３２,４２；油圧ホース、３３ａ；プレート、４０；走行レバー、４３ａ；プレート、５０；制御装置、５２；ワイヤハーネス。
【図１】
0004026985.tif 000002
【図２】
0004026985.tif 000003
【図３】
0004026985.tif 000004
【図４】
0004026985.tif 000005
【図５】
0004026985.tif 000006
【図６】
0004026985.tif 000007
【図７】
0004026985.tif 000008
【図８】
0004026985.tif 000009
【図９】
0004026985.tif 000010
【図１０】
0004026985.tif 000011
【図１１】
0004026985.tif 000012